【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
境界と、視覚的に面内画像が担持される基板の平面上に実質的に存在する前記境界内の画像区域と、を有する面内画像と、
前記面内画像の前記境界内に含まれる１つ以上のアイコン制御パターンと、
前記１つ以上のアイコン制御パターンの少なくとも一部の合成拡大画像を少なくとも１つ形成するように位置決めされたアイコン集光素子のアレイであって、前記少なくとも１つの合成拡大画像が、前記面内画像の外観を変化させるように作用する、前記面内画像を見るための限定された視野を提供する、アレイと、
を含むマイクロ光学システム。
【請求項２】
前記少なくとも１つの合成拡大画像は、前記少なくとも１つの合成拡大画像と前記面内画像の画像区域との視覚的な交差の中へ、及び外へ前記少なくとも１つの合成拡大画像が動くことによって、前記面内画像を見るための視野を提供する、請求項１に記載のマイクロ光学システム。
【請求項３】
前記面内画像は、前記少なくとも１つの合成拡大画像が前記面内画像の画像区域と視覚的に交差するときに可視であり、前記少なくとも１つの合成拡大画像が前記面内画像の画像区域のいずれの部分とも視覚的に交差しないときには不可視である、請求項１又は２に記載のマイクロ光学システム。
【請求項４】
前記少なくとも１つの合成拡大画像の視覚的投影の見かけ上のサイズは、前記面内画像の画像区域よりも大きい、請求項１〜３のいずれか一項に記載のマイクロ光学システム。
【請求項５】
見られる前記面内画像の量は、前記少なくとも１つの合成拡大画像が前記面内画像の前記画像区域と視覚的に交差する量によって決定される、請求項１〜４のいずれか一項に記載のマイクロ光学システム。
【請求項６】
アイコン制御パターンは、暗いアイコンの領域および明るいアイコンの領域によって特徴づけられる、請求項１〜５のいずれか一項に記載のマイクロ光学システム。
【請求項７】
前記１つ以上のアイコン制御パターンは、自身の平面内に対称軸を有する画像アイコンの平面アレイを含むと共に前記アレイ内に反復周期を有し、前記アイコン集光素子のアレイは、自身の平面内に対称軸を有し、前記アレイ内に反復周期を有する画像アイコン集光素子の平面アレイを含み、前記画像アイコン集光素子の前記平面アレイは、前記画像アイコン集光素子が前記画像アイコンの少なくとも一部の合成拡大画像を少なくとも１つ形成するのに十分なように、前記画像アイコンのアレイに対して配置される、請求項１〜６のいずれか一項に記載のマイクロ光学システム。
【請求項８】
前記画像アイコンの反復周期の、前記画像アイコン集光素子の反復周期に対する比率は、実質的に１に等しく、前記画像アイコンの平面アレイの対称軸および画像アイコン集光素子の平面アレイの対応する対称軸は、回転整列されていない、請求項７に記載のマイクロ光学システム。
【請求項９】
視差直交モーション効果が提供される、請求項８に記載のマイクロ光学システム。
【請求項１０】
前記画像アイコンの反復周期の、前記画像アイコン集光素子の反復周期に対する比率が１より大きいか、
１未満であるか、
前記画像アイコンの反復周期の前記画像アイコン集光素子の反復周期に対する比率が、前記画像アイコンの平面および前記集光素子の平面において軸非対称であり、その縮尺比率が、一方の対称軸では１未満であり、他方の対称軸では１より大きい、請求項７に記載のマイクロ光学システム。
【請求項１１】
前記面内画像および前記少なくとも１つの合成拡大画像は異なる視覚画像を生成する、請求項１に記載のマイクロ光学システム。
【請求項１２】
前記１つ以上のアイコン制御パターンは、視覚的に異なる画像を生成するために、複数のアイコンアレイの複合セットを含む、請求項１〜７のいずれか一項に記載のマイクロ光学システム。
【請求項１３】
前記複数のアイコンアレイの１つ以上が、視覚的に異なる画像を生成するために、異なる反復周期を有する少なくとも２つのアイコンアレイを含むか、
前記画像の少なくとも１つが可変合成視覚効果を呈するか、
前記複数のアイコンアレイが、グラフィックブール関数を含むグラフィック加算によって組み合わされて、前記複合セットを形成する、請求項１２に記載のマイクロ光学システム。
【請求項１４】
前記面内画像の可視と不可視との間の移行は、ハードなオン／オフ移行、又はソフトなオン／オフ移行のいずれかである、請求項３に記載のマイクロ光学システム。
【請求項１５】
前記ソフトなオン／オフ移行を生成するために、グレースケール効果が前記少なくとも１つの合成拡大画像の縁に組み込まれる、請求項１４に記載のマイクロ光学システム。
【請求項１６】
前記アイコン制御パターンの少なくとも１つは、前記アイコン制御パターンの少なくとも１つのための背景を含み、前記背景は薄い色を含む、請求項１〜７のいずれか一項に記載のマイクロ光学システム。
【請求項１７】
前記１つ以上のアイコン制御パターンは、少なくとも２つの視覚的に異なる合成拡大画像を形成するために、前記アイコンアレイ内に異なる反復周期を有する少なくとも２つのアイコンアレイを含む、請求項１〜７のいずれか一項に記載のマイクロ光学システム。
【請求項１８】
前記アイコン集光素子のアレイは、５０ミクロン未満の有効直径を有する集光素子を含むか、前記システムは５０ミクロン未満の厚さを有するか、又はその両方である、請求項１〜７のいずれか一項に記載のマイクロ光学システム。
【請求項１９】
前記集光素子は、非球面の集光素子を含む非円筒形の集光素子である、請求項１〜７のいずれか一項に記載のマイクロ光学システム。
【請求項２０】
前記アイコン集光素子のアレイは、１０ミクロン〜３０ミクロンの間の有効直径を有する集光素子を含む、請求項１〜７のいずれか一項に記載のマイクロ光学システム。
【請求項２１】
前記集光素子のアレイは、４以下のＦ値、又は２以下のＦ値を有する集光素子を含む、請求項１〜７のいずれか一項に記載のマイクロ光学システム。
【請求項２２】
各集光素子は３０ミクロン未満の有効直径を有する、請求項１〜７のいずれか一項に記載のマイクロ光学システム。
【請求項２３】
前記システムは約４５ミクロン未満の総厚さを有する、請求項１〜７のいずれか一項に記載のマイクロ光学システム。
【請求項２４】
前記システムは約１０〜約４０ミクロンの総厚さを有するか、約４０ミクロン未満の焦点距離を有する集光素子を含むか、その両方である、請求項１〜７のいずれか一項に記載のマイクロ光学システム。
【請求項２５】
１０〜５０ミクロン未満の焦点距離を有する集光素子を含む、請求項１〜７のいずれか一項に記載のマイクロ光学システム。
【請求項２６】
前記アイコンは基板の凹部として形成され、前記凹部は、前記基板とは異なる屈折率を有する材料か、染料か、金属か、顔料か、または、それらの組み合わせで、任意選択的に充填される間隙を形成する、請求項１〜７のいずれか一項に記載のマイクロ光学システム。
【請求項２７】
前記システムは、前記集光素子上に配置された材料を示す透明なタンパーを含む、請求項１〜７のいずれか一項に記載のマイクロ光学システム。
【請求項２８】
前記システムは、セキュリティまたは認証装置に組み込まれる、請求項１〜７のいずれか一項に記載のマイクロ光学システム。
【請求項２９】
前記システムが、
文書用のセキュリティまたは認証システムとして作用し、前記文書は、ＩＤカード、クレジットカード、デビットカード、運転免許証、金融書類、銀行券、小切手、および、貨幣からなる群から選択されるか、
紙幣用のセキュリティスレッドに組み込まれるか、
貨幣に組み込まれ、機械検出可能な特徴部を含む、
請求項２８に記載のマイクロ光学システム。
【請求項３０】
前記セキュリティスレッドはウインドウセキュリティスレッドである、請求項２９に記載のマイクロ光学システム。
【請求項３１】
前記ウインドウセキュリティスレッドは、
画像コントラストを上げるために、または、追加的な認証特徴部を提供するために、または、その両方のために、顔料で着色、染料で着色、充填、または、コーティングされた、１つ以上の密封層を組み込むか、
導電性、磁気特性、ＮＭＲ検出性のうちの１つ以上を含むか、
前記集光素子の後ろに、１つ以上の顔料着色層、密封層、または、遮蔽層を含む、
請求項３０に記載のマイクロ光学システム。
【請求項３２】
前記システムは、前記１つ以上のアイコン制御パターンと前記画像アイコン集光素子のアレイとの間に位置決めされた１つ以上の光学スペーサをさらに含む、請求項１〜７のいずれか一項に記載のマイクロ光学システム。
【請求項３３】
前記アイコンは、
無色材料、透明材料、不透明材料、インク材料、有色材料、淡着色材料、または、染料のパターンの１つ以上から形成されるか、
基板の表面に突起として形成され、前記突起物の間の空間は、任意選択的に、前記基板とは異なる屈折率を有する材料、染料、金属、顔料、のうちの１以上で充填されるか、
それが現れる背景に対して、ポジティブアイコンまたはネガティブアイコンのいずれかである、
請求項１〜７のいずれか一項に記載のマイクロ光学システム。
【請求項３４】
前記少なくとも１つの合成拡大画像は、
前記システムよりも深い空間平面にあるように見えるか、
前記システムより上の空間平面にあるように見えるか、
前記システムの平面に交差する軸を中心にして前記システムが回転されると、前記システムよりも深い空間平面と前記システムより上の空間平面との間を動くように見える、
請求項１〜７のいずれか一項に記載のマイクロ光学システム。
【請求項３５】
前記システムが、前記システムの平面に対して実質的に平行な軸を中心にして傾斜されると、前記少なくとも１つの合成拡大画像は、前記傾斜軸に対して平行な方向に動くように見える、請求項１〜７のいずれか一項に記載のマイクロ光学システム。
【請求項３６】
前記少なくとも１つの合成拡大画像は、形態、形状、サイズまたは色の１つ以上から、別の形態、形状、サイズまたは色のものへ変形するように見える、請求項１〜７のいずれか一項に記載のマイクロ光学システム。
【請求項３７】
前記変形は、アイコン反復期間および集光素子反復期間のいずれかまたは両方の縮尺の歪みによって生成されるか、空間的に変化する情報をアイコンの制御パターンの１つ以上に組み込むことによって生成される、請求項３６に記載のマイクロ光学システム。
【請求項３８】
前記少なくとも１つの合成拡大画像は三次元であるように見える、請求項１〜７のいずれか一項に記載のマイクロ光学システム。
【請求項３９】
前記集光素子は非球面集光素子であり、前記アイコンは基板の凹部として形成され、前記凹部は、前記基板とは異なる屈折率を有する材料か、染料か、金属か、顔料か、または、それらの組み合わせで、任意選択的に充填されてもよい間隙を形成する、請求項１〜７のいずれか一項に記載のマイクロ光学システム。
【請求項４０】
前記システムは品物に付けられるセキュリティまたは認証装置に組み込まれ、前記品物は、
パスポート、ＩＤカード、運転免許証、ビザ、出生証明書、バイタルレコード、有権者登録カード、投票用紙、社会保障カード、債券、フードスタンプ、郵便切手、納税印紙；
貨幣、紙幣のセキュリティスレッド、ポリマー貨幣の特徴部、紙幣の特徴部；
目録、捺印証書、免許、卒業証書、証明書；
裏書された銀行小切手、企業小切手、個人小切手、銀行バウチャー、株券、トラベラーズチェック、郵便為替、クレジットカード、デビットカード、ＡＴＭカード、アフィニティカード、プリペイドテレフォンカード、ギフト券；
映画の台本、法律文書、知的財産、医療記録／病院記録、処方箋書式／パッド、秘伝のレシピ；
ファブリックおよびホームケア用品；
美容製品；
乳児および家族ケア製品；
ヘルスケア製品；
食品および飲料の包装；
織物類包装；
電子機器、パーツおよび構成部品；
衣類、スポーツウェアおよび履物；
バイオ技術医薬品；
航空宇宙用材料およびパーツ；
自動車部品およびパーツ；
スポーツ用品；
タバコ製品；
ソフトウェア；
コンパクトディスクおよびＤＶＤ；
爆発物；
ノベルティアイテム、ギフトラップおよびリボン；
書籍および雑誌；
学校製品およびオフィス備品；
名刺；
出荷文書および梱包；
ノートカバー；
ブックカバー；
しおり；
イベントおよび交通機関のチケット；
賭博およびゲーム製品および装置；
家具製品；
床板および壁装材；
宝石および時計；
ハンドバッグ；
芸術品、収集品および記念品；
玩具；
店頭表示および販売促進表示；
カモフラージュとして、または、資産管理のために、認証または強化用に、ブランド製品または文書に加えられた、製品表示およびラベル付け物品
からなる群から選択される、請求項１〜７のいずれか一項に記載のマイクロ光学システム。
【請求項４１】
少なくとも２つの合成画像を備え、前記合成画像の一方は面内合成画像であり、前記合成画像の他方は合成拡大画像であり、前記合成拡大画像は、前記面内合成画像の出現量を変化させるかまたは決定するように作用する、合成マイクロ光学システム。
【手続補正２】
【補正対象書類名】明細書
【補正対象項目名】００３９
【補正方法】変更
【補正の内容】
【００３９】
【図１ａ】システムの画像の視差直交移動を提供する本開示の一実施形態を例示するマイクロ光学システムの断面図である。
【図１ｂ】図１ａの実施形態の等角切断図である。
【図２ａ】図１ａ及び図１ｂの実施形態の視差直交合成画像運動の説明図である。
【図２ｂ】本システムのディープ（Ｄｅｅｐ）実施形態とフロート（Ｆｌｏａｔ）実施形態の視覚効果の説明図である。
【図２ｃ】本システムのディープ（Ｄｅｅｐ）実施形態とフロート（Ｆｌｏａｔ）実施形態の視覚効果の説明図である。
【図２ｄ】本発明の浮揚（Ｌｅｖｉｔａｔｅ）実施形態により得られる視覚効果の説明図である。
【図２ｅ】本発明の浮揚（Ｌｅｖｉｔａｔｅ）実施形態により得られる視覚効果の説明図である。
【図２ｆ】本発明の浮揚（Ｌｅｖｉｔａｔｅ）実施形態により得られる視覚効果の説明図である。
【図３】図３ａから図３ｉは、本システムの多様な実施形態及びレンズの対称的な二次元アレイの異なるパターンの充填比を示す平面図である。
【図４】アイコン要素周期／レンズ周期比の変動により生じるディープ、ユニゾン、フロート、及び浮揚の実施形態の効果のさまざまな組み合わせを描くグラフである。
【図５】図５ａから図５ｃは、本発明のアイコン画像の合成倍率がレンズアレイ軸とアイコンアレイ軸の間の相対的な角度によりどのように制御できるのかを描く平面図である。
【図６】図６ａから図６ｃは、本システムの合成倍率画像のモーフィング効果を達成する実施形態を描く平面図である。
【図７】図７ａから図７ｃは、本システムのアイコン層の多様な実施形態を示す断面図である。
【図８】図８ａから図８ｂは、「ポジティブ」アイコン要素実施形態と「ネガティブ」アイコン要素実施形態の両方を描く平面図である。
【図９】さまざまな特性を有する合成拡大された画像の領域を生成するためのマルチレベル材料の実施形態を描く断面図である。
【図１０】さまざまな特性を有する合成拡大された画像の領域を生成するためのマルチレベル材料の別の実施形態を描く断面図である。
【図１１】図１１ａから図１１ｂは、本システムの反射光学部品とピンホール光学部品の実施形態を示す断面図である。
【図１２】図１２ａから図１２ｂは、ハイブリッド屈折／反射材料実施形態と、全屈折材料実施形態の構造を比較する断面図である。
【図１３】「ｐｅｅｌ−ｔｏ−ｒｅｖｅａｌ」タンパー表示材料の実施形態を示す断面図である。
【図１４】「ｐｅｅｌ−ｔｏ−ｃｈａｎｇｅ」タンパー表示材料の実施形態を示す断面図である。
【図１５】図１５ａから図１５ｄは、両面システムの多様な実施形態を示す断面図である。
【図１６】図１６ａから図１６ｆは、本システムによるグレースケールまたは色調アイコン要素パターン、及び引き続きこれらの合成倍率画像を生じさせるための三つの異なる方法を描く断面図及び対応する平面図である。
【図１７】図１７ａから図１７ｄは、印刷情報とともに本発明の使用を示す断面図である。
【図１８】図１８ａから図１８ｆは、印刷情報と組み合わせた、本システムの多様な基板への適用または組み込みを描く断面図である。
【図１９】図１９ａから図１９ｂは、それぞれが本発明に組み込まれたときの、球面レンズの焦点（ｉｎ−ｆｏｃｕｓ）視野を平面非球面レンズの焦点視野と比較する断面図である。
【図２０】図２０ａから図２０ｃは、本発明の厚いアイコン層を使用した結果生じる二つの利点を描く断面図である。
【図２１】「ウィンドウ表示」セキュリティスレッドとしての貨幣への本システムの適用を示す平面図である。
【図２２】「ウィンドウ表示」セキュリティスレッドに関する画像の本システムの視差直交運動実施形態の説明図である。
【図２３】本システムの合成画像のハーフトーン処理の説明図である。
【図２４ａ】個々の合成画像の最小の特徴物より寸法が小さい結合された合成画像を生じさせるための本システムの使用を描く図である。
【図２４ｂ】アイコン画像要素間の隙間の細いパターンを生じさせるための本発明の使用を描く図である。
【図２５】本発明のアイコン画像の中への秘密の隠し情報の組み込みを描く図である。
【図２６】本発明を用いて完全な三次元画像の生成を描く図である。
【図２７】図２７ａ及び図２７ｂは、図２６の三次元的実施形態のためのアイコン画像を設計するための方法の説明図である。
【図２８】図２７の方法から生じるアイコン画像の説明図である。
【図２９】図２７の方法を複雑な三次元合成画像にどのように適用できるのかを図解する図である。
【図３０】２８ミクロンの有効直径を有する例示的な六角形ベースマルチゾーンレンズの中心ゾーン焦点特性を描く図である。
【図３１】２８ミクロンの直径を有する球面レンズの中心ゾーン焦点特性を描く図である。
【図３２】図３０の六角形レンズの側面ゾーンの特性を描く図である。
【図３３】図３１の球面レンズの外側ゾーンの特性を描く図である。
【図３４】（ａ）及び（ｂ）は微細構造アイコン要素の代替的実施形態を図解する。
【図３５】（ａ）及び（ｂ）はコーティング材料をさらに含む、図３４（ａ）および（ｂ）の微細構造アイコン要素を図解する。
【図３６】（ａ）及び（ｂ）は積層されたコーティング材料をさらに含む、図３４（ａ）および（ｂ）の微細構造アイコン要素を図解する。
【図３７】（ａ）〜（ｃ）はポジティブおよびネガティブアイコン要素を図解する。
【図３８】（ａ）〜（ｃ）は充填およびコーティングされた微細構造アイコン要素の組み合わせを図解する。
【図３９】（ａ）〜（ｃ）はパターン化されたコーティング材料の、図３４（ａ）および（ｂ）の微細構造アイコン要素への適用および組み合わせを図解する。
【図４０】（ａ）〜（ｃ）はアイコン画像要素を作成するためのパターン化されたコーティング材料の使用を図解する。
【図４１】（ａ）及び（ｂ）は本明細書に開示されるマイクロ光学システムの「鍵と鍵穴」実施形態を図解する。
【図４２】図４１の「鍵と鍵穴」実施形態の代替的実施形態を図解する。
【図４３】図４１の「鍵と鍵穴」実施形態のさらなる実施形態を図解する。
【図４４】（ａ）及び（ｂ）は本明細書に開示されるマイクロ光学システムの浸水可能な実施形態を図解する。
【図４５】（ａ）〜（ｃ）は、図４４（ａ）および（ｂ）の浸漬可能な実施形態の代替実施形態を図解する。
【図４６】方位視角に依存する本マイクロ光学システムの実施形態を図解する。
【図４７】図４６のマイクロ光学システムの代替的実施形態を図解する。
【図４８】（ａ）〜（ｆ）は、本マイクロ光学システムの実施形態で用いられる充填された微細構造アイコン要素を作成する方法を図解する。
【図４９ａ】１つの合成画像が、システムによって生成された別の合成画像の視野を変化させるかまたは制御する本マイクロ光学システムのさらに別の実施形態を例示する上面図である。
【図４９ｂ】図４９ａの実施形態の面内画像区域の拡大平面図である。
【図４９ｃ】図４９ａの実施形態の面内画像区域の拡大平面図である。
【図４９ｄ】図４９ａの実施形態の斜視図である。
【図５０ａ】図４９ａの実施形態の異なる視角からの上面図である。
【図５０ｂ】図４９ｄの実施形態の異なる視角からの斜視図である。
【図５１】図５１ａ〜図５１ｄは図４９ａ〜ｄの実施形態の１つ以上の合成画像の視野を制御するため、及び、任意選択的にそれらを別の合成画像と組み合わせるための、画像アイコン設計方法を例示する図である。
【図５２】図５１ａ〜図５１ｄの実施形態の画像アイコンの例示的な複合セットの拡大図である。
【図５３】図５３ａ〜図５３ｊは、３つの異なる合成画像を生成するために３つの異なる画像アイコンアレイの各々からのアイコンの例示的な結合を例示する図である。
【図５４】図５４ａ〜図５４ｃは、ズニベアのディープ合成画像と組み合わされたマストドン頭部の面内合成画像を生成するため実施形態を例示する図である。
【図５５】図５５ａ〜図５５ｃは、図５４ａ〜図５４ｃの実施形態に対する代替バージョンを例示する図である。
【図５６】図５６ａ〜図５６ｃは、図５４ａ〜図５４ｃの実施形態に対する別の代替のバージョンを例示する図である。
【図５７】図５７ａ〜図５７ｃは、図５４ａ〜図５４ｃの実施形態に対するさらに別の代替のバージョンを例示する図である。
【図５８】ズニベアのディープ画像と組み合わされたモーション三角形画像のアイコンパターンを生成するための実施形態を例示する図である。
【図５９】図５９ａ〜図５９ｂは図５８の拡大された一部分を例示する図である。
【図６０】交差した図５８のアイコンパターンの非均一性を例示する図である。
【図６１】図６１ａ〜図６１ｆは、図５８のアイコンパターンの組み合わせへの、グラフィックブール共通集合(intersect)関数の適用を例示する図である。
【図６２】図６２ａ〜図６２ｂは、図４９〜６１の実施形態の視野（ＦＯＶ）制御合成画像におけるソフトなオン／オフ移行を達成するために、１つのグレースケール方法を適用することを例示する図である。
【図６３】図６２に対する別のグレースケールアプローチを例示する図であり、合成画像の強度は、各領域でオーバーラップするアイコン画像の数にしたがって変動する。
【手続補正３】
【補正対象書類名】明細書
【補正対象項目名】０１９０
【補正方法】変更
【補正の内容】
【０１９０】
ユニゾン３−Ｄのためにアイコン画像を設計する方法は図２７ａ〜ｂにさらに詳細に説明されている。この図は単独画像プロジェクタ６８０のための方法だけを分離して示している。前述されたように、一つの画像プロジェクタは、レンズ、光学スペーサ、及びアイコン画像を含み、アイコン画像はレンズの反復周期と実質的に同じ寸法を有する（ユニゾン視覚効果を生じさせる縮尺の小さな差異を許容する）。レンズとその対応するアイコンの視野は円錐６８２として示されている。即ち、これもレンズの焦点円錐の逆転に対応するため、視野円錐６８２の割合はレンズのＦ＃により決定される。図は円形ベースを有するとしてこの円錐を示しているが、ベース形状は実際には六角形等アイコンゾーンの形状と同じであってよい。
【手続補正４】
【補正対象書類名】明細書
【補正対象項目名】０１９６
【補正方法】変更
【補正の内容】
【０１９６】
図２９は、非常に高価な氷河時代のマンモスの象牙に彫刻された工芸品、Ｂｒａｓｓｅｍｐｕｏｙの貴婦人（Ｌａｄｙ  ｏｆ  Ｂｒａｓｓｅｍｐｏｕｙ）７４２等の複雑な三次元合成画像に図２７ａ〜ｂの方法をどのようにして適用できるのかを描いている。少なくとも一つのレンズ、光学スペーシング要素、及びアイコン画像（この図では示されていない）を組み込む個々の画像プロジェクタ７３８は、ディープ合成画像空間からフロート合成画像空間を分離するユニゾン材料の平面７４０内にある。この例では、合成画像空間は、ユニゾン材料にわたって、画像の一部がフロート合成画像空間内にあり、一部がディープ合成画像空間内にある。画像プロジェクタ７３８は、ディープ合成画像空間７４４、及びフロート合成画像空間７４６の両方の中に広がる実質的に円錐状の視野を有する。所望のディープ合成画像空間解像度を取得するために必要とされる間隔により、選ばれた数のディープ画像平面７４８及び７５２から７６２が選択される。同様に、所望のフロート合成画像空間解像度を取得するために必要とされる間隔により、選ばれた数のフロート画像平面７５０及び７６４から７７４が選択される。ディープ平面７４８とフロート平面７５０等のこれらの平面のいくつかは合成画像を越えて広がっており、アイコン画像の中の最終的な情報に貢献しない。簡潔にするために、図２９に示されている画像平面数は小さい数に制限されているが、選択される画像平面の実際の数は、所望の合成画像奥行き解像度を取得するために５０または１００平面以上等、大きくてもよい。
【手続補正５】
【補正対象書類名】明細書
【補正対象項目名】０１９７
【補正方法】変更
【補正の内容】
【０１９７】
図２７ａ〜ｂと図２８の方法は、次に選択された奥行き画面７５６から７７４とオブジェクト７４２の表面の交差の形状を決定することにより、各奥行き平面でのアイコン画像を得るために適用される。結果として生じる別々のアイコン画像は、結合されるアイコン画像の最終的なサイズに合わせてスケーリングされる。フロートアイコン画像のすべては最初に１８０度回転され（それらが投射されるときにその回転を再度経験し、それによりそれらを合成画像の中のそれらの正しい向きに戻すため）、次にディープアイコン画像と結合され、この画像プロジェクタ７３８の最終的なアイコン画像を形成する。このプロセスは、完全な合成画像７４２を形成するために必要とされるアイコン画像の完成したパターンを取得するために画像プロジェクタの位置のそれぞれに対して繰り返される。
【手続補正６】
【補正対象書類名】明細書
【補正対象項目名】０３３５
【補正方法】変更
【補正の内容】
【０３３５】
図５１および図５２の複合アイコンセット２０６５の効果は、図５３ａ〜ｊに示される。アイコン画像ゾーン２０７２内の複合アイコン画像２０７５、２０８０、２０８５は、３つの異なるアイコンパターン２０４５、２０５０、２０５５を融合または結合することから生じる。図５３ｊは、ユニゾン材料２０７０上の１つの場所２１１５でのこれら３つのパターンの結合を示す。説明のために、アイコンパターン２０４５、２０５０、２０５５の個別の寄与が、異なるハッチパターンによって図５３ａ、ｄ、ｇに示され、これにより合成画像効果全体に対するそれらの寄与を理解することができる。当然ながら、アイコン画像の実際の複合セットは、図５３ｊに示されるように、そのような相違を全く示さない。
【手続補正７】
【補正対象書類名】明細書
【補正対象項目名】０３４１
【補正方法】変更
【補正の内容】
【０３４１】
点２１１５の視点が図５３ｉに示されるようにさらに変わり、ユニゾン材料２０７０が、法線から左へ角度２１３５から見られる（２１２４）と、代表的な焦点２０９０の位置はフリッカーラスコー洞窟馬アイコンパターン２０５０が形成するアイコン画像の要素または部分であるアイコン画像２０８０（図５３ｇに示される）になる。図５３ｈは、他の集光素子を通してまたはそれによって、同一の視点２１２４から見た他の類似の焦点との組み合わせにより、ユニゾン材料が今度はラスコー洞窟馬パターンのフリッカー合成画像２１４５を示し、ラスコー洞窟馬フリッカー合成画像の境界２１４０外部ではズニベアのディープ背景合成画像２０９５が可視となることを示す。
【手続補正８】
【補正対象書類名】明細書
【補正対象項目名】０３４２
【補正方法】変更
【補正の内容】
【０３４２】
図５３ａ〜ｊはこのように、複合アイコンセット２０６５（図５２）について、異なる視角から見られるかまたは呈することができる可変合成画像効果を示す。図５３ａ〜ｊの例において、視角のすべては、ユニゾン材料の垂直面に平行な軸２０７３（図示されている）を中心にして視点を回転することによって、得られた。しかしこれは当業者によって多くの異なる方法で拡張することができる１つの例にすぎない。たとえば、１本の軸２０７３を中心にして回転することによってユニゾン材料が見られたときには合成画像の１つのセットが表示されるが、軸２０７３に直交する軸を中心にしてユニゾン材料が回転されたときには合成画像の異なるセットを表示するアイコンパターンを設計することができる。本発明の権利範囲内で、この方法の変形例の範囲は明らかに無限に可能である。
【手続補正９】
【補正対象書類名】明細書
【補正対象項目名】０３７１
【補正方法】変更
【補正の内容】
【０３７１】
「ソフト」なオン／オフ移行を達成するための１つの方法は、ＦＯＶ制御合成画像の縁にグレースケール効果を使用することである。合成画像のグレースケール効果は、本明細書で先に教示されたように、多くの方法で達成することができる。図６２ａ〜ｂおよび６３は、ＦＯＶ制御合成画像に「ソフト」なオン／オフ移行を達成するために、１つのグレースケール方法を適用する例を呈示する。アイコン画像２３０５は、深い回旋状の縁２３１０を備えた方形パターンである。各アイコン画像がアイコン画像２３０５と同一であり、各々がそのアイコンゾーン内に同一に位置するようにアイコン画像のアレイが作成された場合（たとえば、図５３のアイコンゾーン２０７２参照）、結果として得られる合成画像の外観（そのアイコン画像アレイを組み込むユニゾン材料によって形成されるもの）は、アイコン画像２３０５と同一である。この合成画像は、ちょうどこれが合成された元のアイコン画像のように、深い回旋状のハードな縁を有する。